(57)【要約】【課題】一対のアーム部と、該アーム部を支持する支持体と、支持体に設けられた管状部と、アーム部の端部に設けられたボビン保持部とを有するボビンホルダーにおいて、糸の管状部からの抜け出しを防止することができるボビンホルダーを提供する。【解決手段】ボビン保持部６０には、糸保持部７０が設けられ、糸保持部７０は、ボビン保持部６０の平面部６２ｃに接する接触面７４ａを有する保持体７４と、保持体７４から突出した軸部７２と、軸部７２の端部から連設された頭部７６とを有し、ボビン保持部６０には、穴部６６ａと穴部６６ｂが設けられ、穴部６６ａに軸部７２が挿入され、頭部７６の軸部７２側の端部が、穴部６６ａと穴部６６ｂ間の段差面６６ｃに係合することにより、接触面７４ａが平面部６２ｃに密着し、ボビンに巻回された糸で管状部に挿通された糸が、ボビン保持部６０の平面部６２ｃと糸保持部の接触面７４ａの隙間に保持される。【選択図】図８
0003215708.tif 000002
【実用新案登録請求の範囲】
【請求項１】
釣り用の糸を巻回するための筒状部を有するボビンを保持するボビンホルダーであって、
弾性撓み変形可能なアーム状の部材により形成された第１アーム部（３０）と、
弾性撓み変形可能なアーム状の部材により形成された第２アーム部（４０）と、
第１アーム部の一方の端部と第２アーム部の一方の端部を支持する支持体（１０）と、
支持体に設けられた管状部（２０）と、
第１アーム部の他方の端部に設けられた第１ボビン保持部で、ボビンを保持する際にボビンにおける筒状部の一方の端部にボビンが回転可能な状態で係合する保持子（５４）を有する第１ボビン保持部（５０）と、
第２アーム部の他方の端部に設けられた第２ボビン保持部で、ボビンを保持する際にボビンにおける筒状部の他方の端部にボビンが回転可能な状態で係合する保持子（６４）を有する第２ボビン保持部（６０）と、
第１ボビン保持部と第２ボビン保持部のいずれか一方である特定ボビン保持部における特定ボビン保持部に設けられた保持子側とは反対側の面である外側面（６２ｃ）に接して設けられ、ゴム弾性を有する素材により形成された糸保持部（７０）と、を有し、
第１ボビン保持部と第２ボビン保持部に保持されたボビンの筒状部に巻回された糸で管状部に挿通された糸を特定ボビン保持部の該外側面と糸保持部の間に配置することにより、糸が特定ボビン保持部の該外側面と糸保持部の間に保持されることを特徴とするボビンホルダー。
【請求項２】
糸保持部が、該外側面に接する接触面（７４ａ）を有する保持体（７４）と、保持体の接触面側から突出して形成された軸部（７２）と、軸部の保持体とは反対側の端部から連設された頭部（７６）とを有し、
特定ボビン保持部には、該外側面から第１穴部（６６ａ）が設けられているとともに、第１穴部の該外側面側の端部とは反対側の端部から連設され第１穴部の径よりも大径の第２穴部（６６ｂ）が設けられて、第１穴部と第２穴部の境界には段差面（６６ｃ）が設けられ、
第１穴部に軸部が挿入され、該頭部の該軸部側の端部が該段差面に係合することにより、該接触面が特定ボビン保持部の該外側面に密着していることを特徴とする請求項１に記載のボビンホルダー。
【請求項３】
保持体が、接触面から連設された曲面部で、接触面から離れるに従い、接触面と平行な縦断面の径が大きくなる曲面部（７４ｂ）を有することを特徴とする請求項１又は２に記載のボビンホルダー。
【考案の詳細な説明】
【技術分野】
【０００１】
本考案は、釣り具作製用の糸が巻回されたボビンを保持するためのボビンホルダーに関するものである。
【背景技術】
【０００２】
一般に、フライフィッシングの毛針、鮎の友釣仕掛け、和竿等の釣り具を作製する際には、「スレッド」と呼ばれる糸が用いられ、スレッドはボビンに巻回された状態で提供され、多くの場合、ボビンはボビンホルダーに装着されて使用される。つまり、図１４、図１５に示すように、ボビンＢは、円筒状のボビン本体Ｂ１０と、ボビン本体Ｂ１０の両端の開口Ｂ１２ａ、Ｂ１２ｂの周囲に設けられたフランジ部Ｂ１４ａ、Ｂ１４ｂとを有し、また、ボビンホルダー１０５は、前後方向に延びる円柱状の支持体１１０と、その軸線が支持体１１０の軸線に重なり支持体１１０の前後に開口した貫通穴部に圧入され、両端を支持体１１０の前後に突出させた状態で支持体１１０に固定された円管状の管状部１２０と、支持体１１０の後端における管状部１２０の両側の位置から連設された弾性撓み変形可能な一対のアーム部１３０、１４０と、アーム部１３０の後端に設けられたボビン保持部１５０と、アーム部１４０の後端に設けられたボビン保持部１６０とを有している。
【０００３】
ボビン保持部１５０は、アーム部１３０から連設された基部１５０ａと、基部１５０ａの内側（ボビンホルダー１０５の中心線側）から連設され先端側に行くに従い次第に直径が小さくなる円錐台状の円錐台状部１５０ｂとを有している。また、ボビン保持部１６０は、アーム部１４０から連設された基部１６０ａと、基部１６０ａの内側（ボビンホルダー１０５の中心線側）から連設され先端側に行くに従い次第に直径が小さくなる円錐台状の円錐台状部１６０ｂとを有している。
【０００４】
このボビンホルダー１０５を使用する際には、各アーム部１３０、１４０をそれぞれ撓み変形させて外側に押し拡げた後、一方のボビン保持部１５０の円錐台状部１５０ｂの先端領域部をボビンＢの一方の開口Ｂ１２ａに挿入するとともに、円錐台状部１５０ｂの周面を開口Ｂ１２ａの周囲（フランジ部Ｂ１４ａの内周縁）に当接させ、また、他方のボビン保持部１６０の円錐台状部１６０ｂの先端領域部を他方の開口Ｂ１２ｂに挿入するとともに、円錐台状部１６０ｂの周面を開口Ｂ１２ｂの周囲（フランジ部Ｂ１４ｂの内周縁）に当接させ、外側に押し拡げられたアーム部１３０、１４０の弾性復元力（内側への付勢力）によりボビンＢを挟み付けることにより、ボビンＢをボビン本体Ｂ１０の軸線回りに回転可能に保持し、ボビンＢから引き出された糸Ｓを管状部１２０の後端の開口１２０ａから入れ、前端の開口１２０ｂから引き出し、開口１２０ｂから引き出された糸Ｓにより、釣具を作製する。なお、釣具を作製するための糸Ｓであるスレッド用のボビンＢは、規格化されてなく、ボビンＢの幅（一方のフランジ部と他方のフランジ部間の距離）は、一定ではないが、アーム部１３０、１４０を撓ませてボビン保持部１５０とボビン保持部１６０間の間隔を調整することにより、異なる大きさのボビンに対応してボビンを保持することができる。
【０００５】
このボビンホルダー１０５によれば、管状部１２０から引き出された糸Ｓを引っ張ることにより、ボビンＢが回転して糸ＳがボビンＢから引き出され、また、糸Ｓを引っ張るのを止めれば、フランジ部Ｂ１４ａ、Ｂ１４ｂと保持部１５０、１６０との摩擦力により、ボビンＢの回転は制動され、ボビンＢは回転停止状態で保持されるので、必要に応じて適量の糸ＳをボビンＢから引き出すことが容易である。また、ボビンホルダー１０５を使用しない場合には、例えば、作業中に過ってボビンＢを落下させると、ボビンＢが無制限に転がり、意に反して多量の糸Ｓが引き出されて、糸Ｓが絡む等の不具合が発生してしまうが、ボビンＢをボビンホルダー１０５に装着することにより、これを落下させても、ボビンＢの回転が最小限に抑えられ、上記不具合の発生を防止することができる。
【考案の概要】
【考案が解決しようとする課題】
【０００６】
しかし、糸Ｓは管状部１２０に挿通されているだけであるので、作業終了後に何らかの拍子で、糸Ｓが管状部１２０から抜け出てしまうことがあり、その場合には、糸Ｓを通し直す必要があり、面倒であった。例えば、ボビンＢを何らかの原因で回転させてしまうと、糸Ｓが管状部１２０から抜け出てしまうおそれがある。
【０００７】
そこで、本考案は、一対のアーム部と、該アーム部を支持する支持体と、支持体に設けられた管状部と、アーム部の端部に設けられたボビン保持部とを有するボビンホルダーにおいて、糸の管状部からの抜け出しを防止することができるボビンホルダーを提供することを目的とする。
【課題を解決するための手段】
【０００８】
本考案は上記問題点を解決するために創作されたものであって、第１には、釣り用の糸を巻回するための筒状部を有するボビンを保持するボビンホルダーであって、弾性撓み変形可能なアーム状の部材により形成された第１アーム部（３０）と、弾性撓み変形可能なアーム状の部材により形成された第２アーム部（４０）と、第１アーム部の一方の端部と第２アーム部の一方の端部を支持する支持体（１０）と、支持体に設けられた管状部（２０）と、第１アーム部の他方の端部に設けられた第１ボビン保持部で、ボビンを保持する際にボビンにおける筒状部の一方の端部にボビンが回転可能な状態で係合する保持子（５４）を有する第１ボビン保持部（５０）と、第２アーム部の他方の端部に設けられた第２ボビン保持部で、ボビンを保持する際にボビンにおける筒状部の他方の端部にボビンが回転可能な状態で係合する保持子（６４）を有する第２ボビン保持部（６０）と、第１ボビン保持部と第２ボビン保持部のいずれか一方である特定ボビン保持部における特定ボビン保持部に設けられた保持子側とは反対側の面である外側面（６２ｃ）に接して設けられ、ゴム弾性を有する素材により形成された糸保持部（７０）と、を有し、第１ボビン保持部と第２ボビン保持部に保持されたボビンの筒状部に巻回された糸で管状部に挿通された糸を特定ボビン保持部の該外側面と糸保持部の間に配置することにより、糸が特定ボビン保持部の該外側面と糸保持部の間に保持されることを特徴とする。
【０００９】
第１の構成のボビンホルダーにおいては、ボビンの筒状部に巻回された糸で管状部に挿通された糸を特定ボビン保持部の該外側面と糸保持部の間に配置することにより、糸が該外側面と糸保持部の間に保持されるので、釣り具の作製作業の終了後に糸が管状部から抜け出してしまうことを防止することができる。
【００１０】
なお、上記第１の構成を以下の構成としてもよい。すなわち、「釣り用の糸を巻回するための筒状部を有するボビンを保持するボビンホルダーであって、弾性撓み変形可能なアーム状の部材により形成された第１アーム部（３０）と、弾性撓み変形可能なアーム状の部材により形成された第２アーム部（４０）と、第１アーム部の一方の端部と第２アーム部の一方の端部を支持する支持体（１０）と、支持体に設けられた管状部（２０）と、第１アーム部の他方の端部に設けられた第１ボビン保持部で、ボビンを保持する際にボビンにおける筒状部の一方の端部にボビンが回転可能な状態で係合する第１保持子（５４）を有する第１ボビン保持部（５０）と、第２アーム部の他方の端部に設けられた第２ボビン保持部で、ボビンを保持する際にボビンにおける筒状部の他方の端部にボビンが回転可能な状態で係合する第２保持子（６４）を有する第２ボビン保持部（６０）と、第２ボビン保持部の第２保持子側と反対側の面である外側面（６２ｃ）に接して設けられ、ゴム弾性を有する素材により形成された糸保持部（７０）と、を有し、第１ボビン保持部と第２ボビン保持部に保持されたボビンの筒状部に巻回された糸で管状部に挿通された糸を第２ボビン保持部の該外側面と糸保持部の間に配置することにより、糸が第２ボビン保持部の該外側面と糸保持部の間に保持されることを特徴とするボビンホルダー。」としてもよい。
【００１１】
また、第２には、上記第１の構成において、糸保持部が、該外側面に接する接触面（７４ａ）を有する保持体（７４）と、保持体の接触面側から突出して形成された軸部（７２）と、軸部の保持体とは反対側の端部から連設された頭部（７６）とを有し、特定ボビン保持部には、該外側面から第１穴部（６６ａ）が設けられているとともに、第１穴部の該外側面側の端部とは反対側の端部から連設され第１穴部の径よりも大径の第２穴部（６６ｂ）が設けられて、第１穴部と第２穴部の境界には段差面（６６ｃ）が設けられ、第１穴部に軸部が挿入され、該頭部の該軸部側の端部が該段差面に係合することにより、該接触面が特定ボビン保持部の該外側面に密着していることを特徴とする。
【００１２】
また、第３には、上記第１又は第２の構成において、保持体が、接触面から連設された曲面部で、接触面から離れるに従い、接触面と平行な縦断面の径が大きくなる曲面部（７４ｂ）を有することを特徴とする。
【００１３】
よって、曲面部の縦断面の径は、接触面に近づくに従い小さくなるので、糸を第２ボビン保持部の該外側面と糸保持部の隙間に導く際に、糸を曲面部に接した状態で接触面側に移動させるのが容易となる。
【考案の効果】
【００１４】
本考案に基づくボビンホルダーによれば、ボビンの筒状部に巻回された糸で管状部に挿通された糸を特定ボビン保持部の該外側面と糸保持部の隙間に配置することにより、糸が該隙間に保持されるので、釣り具の作製作業の終了後に糸が管状部から抜け出してしまうことを防止することができる。
【図面の簡単な説明】
【００１５】
【図１】本考案のボビンホルダーの斜視図である。
【図２】本考案のボビンホルダーの平面図である。
【図３】支持体の横断面図である。
【図４】一方のボビン保持部の要部破断平面図である。
【図５】他方のボビン保持部の要部破断平面図である。
【図６】糸保持部の平面図である。
【図７】図２の要部拡大図である。
【図８】図７のＡ−Ａ線における断面図である。
【図９】図７のＢ−Ｂ線における要部拡大断面図である。
【図１０】図７のＣ−Ｃ線における断面図である。
【図１１】本考案のボビンホルダーの使用状態を示す斜視図である。
【図１２】本考案のボビンホルダーの使用状態を示す要部破断平面図である。
【図１３】図１２のＤ−Ｄ線における断面図である。
【図１４】従来のボビンホルダーの使用状態を示す斜視図である。
【図１５】従来のボビンホルダーの使用状態を示す要部破断平面図である。
【考案を実施するための形態】
【００１６】
本考案においては、一対のアーム部と、該アーム部を支持する支持体と、支持体に設けられた管状部と、アーム部の端部に設けられたボビン保持部とを有するボビンホルダーにおいて、糸の管状部からの抜け出しを防止することができるボビンホルダーを提供するという目的を以下のようにして実現した。
【００１７】
本考案のボビンホルダー５は、図１〜図１０に示すように構成され、ボビンホルダー５の前後方向に延び前端が半球状に形成された円柱状の支持体１０と、支持体１０の軸線に沿って設けられた円管状の管状部２０と、支持体１０の後端から連設された弾性撓み変形可能な一対の線状のアーム部３０、４０と、一方のアーム部３０の後端（アーム部３０の支持体１０側とは反対側の端部）から連設されたボビン保持部５０と、他方のアーム部４０の後端（アーム部４０の支持体１０側とは反対側の端部）から連設されたボビン保持部６０と、ボビン保持部６０に設けられた糸保持部７０とを有している。
【００１８】
支持体１０は、真鍮から削り出しにより形成され、図３に示すように、支持体１０には、支持体１０の前後に開口し軸線が支持体１０の軸線と重なる円柱状の貫通穴部１０ａが形成され、支持体１０の後端面における貫通穴部１０ａよりも左側面側寄りの位置には、貫通穴部１０ａと平行な円柱状の非貫通穴部１０ｂが形成され、支持体１０の後端面における貫通穴部１０ａよりも右側面側寄りの位置には、貫通穴部１０ａと平行な円柱状の非貫通穴部１０ｃが形成されている。支持体１０は、アーム部３０の一方の端部とアーム部４０の一方の端部を支持している。
【００１９】
管状部２０は、ステンレススチール製のパイプから形成され、支持体１０の貫通穴部１０ａへの圧入又は接着により、管状部２０が、貫通穴部１０ａに貫通した状態で支持体１０に固定されている。つまり、管状部２０は、その両端を支持体１０の前後に突出させ、一方の開口２０ａを後方に向け、他方の開口２０ｂを前方に向けた状態で、支持体１０に固定して設けられている。なお、管状部２０は、セラミックその他の材質により形成してもよい。
【００２０】
アーム部（第１アーム部）３０は、ステンレススチール製でその軸線方向と直交する方向の断面（つまり、横断面）が円形の線材から形成されたアーム状の部材であり、アーム部３０の一方の端部が支持体１０の非貫通穴部１０ｂへの圧入又は接着により、アーム部３０は、非貫通穴部１０ｂに挿入された状態で支持体１０に固定されている。つまり、アーム部３０は、支持体１０の非貫通穴部１０ｂから連設され前後方向（支持体１０の軸線と平行な方向）に直線状に延びる基端部３２と、基端部３２の後端（基端部３２の支持体１０側とは反対側の端部）から連設され、基端部３２の軸線の延長線に対して外側（ボビンホルダー５の中心線（支持体１０の軸線及びその延長線）側とは反対側）に傾斜するとともに、僅かに外側に湾曲した曲線状の中間部３４と、中間部３４の後端（中間部３４の基端部３２側とは反対側の端部）から連設され、中間部３４の後端を通りボビンホルダー５の中心線と平行な仮想直線に対して内側（ボビンホルダー５の中心線側）に傾斜した直線状の末端部３６とを有している。
【００２１】
アーム部（第２アーム部）４０は、ステンレススチール製でその軸線方向と直交する方向の断面（つまり、横断面）が円形の線材から形成されたアーム状の部材であり、アーム部４０の一方の端部が支持体１０の非貫通穴部１０ｃにへの圧入又は接着により、アーム部４０は、非貫通穴部１０ｃに挿入された状態で支持体１０に固定されている。つまり、アーム部４０は、支持体１０の非貫通穴部１０ｃから連設され前後方向に直線状に延びる基端部４２と、基端部４２の後端（基端部４２の支持体１０側とは反対側の端部）から連設され、基端部４２の軸線の延長線に対して外側に傾斜するとともに、僅かに外側に湾曲した曲線状の中間部４４と、中間部４４の後端（中間部４４の基端部４２側とは反対側の端部）から連設され、中間部４４の後端を通りボビンホルダー５の中心線と平行な仮想直線に対して内側に傾斜した直線状の末端部４６とを有している。
【００２２】
アーム部３０とアーム部４０は、前後方向の中心面を介して左右対称に形成されていて、中間部３４と中間部４４は、基端部３２、４２側から末端部３６、４６側にいくほど、アーム部３０とアーム部４０間の距離が長くなるように形成され、末端部３６と末端部４６は、中間部３４、４４側から中間部３４、４４側とは反対側にいくほど、末端部３６と末端部４６間の距離が短くなるように形成されている。なお、アーム部３０、４０は、線材から形成されているとしたが、アーム状に形成されていればよい。また、アーム部３０、４０は、ステンレススチール製であるとしたが、弾性撓み変形可能な材質であれば他の材質であってもよい。
【００２３】
ボビン保持部（第１ボビン保持部）５０は、真鍮から削り出しにより形成されていて、ボビン保持部５０は、図４に示すように、円盤状の基部５２と、基部５２の一方の平面部５２ａから連設され、軸線が基部５２の軸線の延長線と重なり、直径が基部５２の直径よりも小さな円柱状の円柱状部５４ａと、円柱状部５４ａの基部５２側とは反対側の端部から連設され、軸線が円柱状部５４ａの軸線の延長線と重なり、円柱状部５４ａ側の端部の直径が円柱状部５４ａの直径と同一で先端側に行くに従い次第に直径が小さくなる円錐台状の円錐台状部５４ｂとを有する保持子（第１保持子）５４とを有している。
【００２４】
基部５２は、円柱状（円形板状としてもよい）における周面の両側の端部を面取りした形状を呈し、基部５２においては、基部５２の周面に開口した円柱状の非貫通穴部５２ｂが基部５２の径方向に形成され、アーム部３０の末端部３６の後端（末端部３６の中間部３４側とは反対側の端部）の非貫通穴部５２ｂへの圧入又は接着により、ボビン保持部５０が、アーム部３０が非貫通穴部５２ｂに挿入した状態でアーム部３０に固定されている。なお、保持子５４は、ボビンホルダー５によりボビンＢを保持する際に、円筒状のボビン本体Ｂ１０の一方の端部とボビンＢが回転可能な状態で係合するものであり、保持子５４は、内側（ボビンホルダー５の中心線側）に向けた状態となっている。以上のように、ボビン保持部５０は、アーム部３０の端部（他方の端部）に設けられている。
【００２５】
ボビン保持部（特定ボビン保持部、第２ボビン保持部）６０は、真鍮から削り出しにより形成されていて、ボビン保持部６０は、図５に示すように、円盤状の基部６２と、基部６２の一方の平面部６２ａから連設され、軸線が基部６２の軸線の延長線と重なり、直径が基部６２の直径よりも小さな円柱状の円柱状部６４ａと、円柱状部６４ａの基部６２側とは反対側の端部から連設され、軸線が円柱状部６４ａの軸線の延長線と重なり、円柱状部６４ａ側の端部の直径が円柱状部６４ａの直径と同一で先端側に行くに従い次第に直径が小さくなる円錐台状の円錐台状部６４ｂとを有する保持子（第２保持子）６４とを有している。
【００２６】
基部６２は、円柱状（円形板状としてもよい）における周面の両側の端部を面取りした形状を呈し、ボビン保持部６０の軸線６０Ｊに対して直角をなす平面部６２ａ、６２ｃと、円柱形状の周面を呈する周面部６２−１と、面取りにより形成された曲面部６２−２、６２−３を有している。基部６２においては、周面部６２−１に開口した円柱状の非貫通穴部６２ｂが基部６２の径方向に形成され、アーム部４０の末端部４６の後端（末端部４６の中間部４４側とは反対側の端部）の非貫通穴部６２ｂへの圧入又は接着により、ボビン保持部６０が、アーム部４０が非貫通穴部６２ｂに挿入した状態でアーム部４０に固定されている。なお、保持子６４は、ボビンホルダー５によりボビンＢを保持する際に、円筒状のボビン本体Ｂ１０の他方の端部とボビンＢが回転可能な状態で係合するものであり、保持子６４は、内側（ボビンホルダー５の中心線側）に向けた状態となっている。以上のように、ボビン保持部６０は、アーム部４０の端部（他方の端部）に設けられている。
【００２７】
また、ボビン保持部６０には、基部６２の平面部６２ｃ（保持子６４側とは反対側の平面部）に開口した円柱状の穴部（第１穴部）６６ａと、穴部６６ａと連通し保持子６４の先端面６４ｃに開口した円柱状の穴部（第２穴部）６６ｂとが形成されている。つまり、ボビン保持部６０には、穴部６６ａと穴部６６ｂとからなる貫通穴部６６が形成されている。また、貫通穴部６６は、その軸線が、ボビン保持部６０の軸線６０Ｊと一致する位置に形成されている。なお、穴部６６ａの軸線と穴部６６ｂの軸線は、軸線６０Ｊと一致する。また、穴部６６ｂの直径は、穴部６６ａの直径よりも大きく、穴部６６ａの内周面の穴部６６ｂ側の端部と穴部６６ｂの内周面の穴部６６ａ側の端部間には、ボビン保持部６０の軸線に対して略垂直な段差面６６ｃが形成されている。なお、基部６２の軸線と円柱状部６４ａの軸線と円錐台状部６４ｂの軸線は、軸線６０Ｊと重なっている。平面部６２ｃは、ボビン保持部６０の保持子６４側と反対側の面である外側面となり、「第１ボビン保持部と第２ボビン保持部のいずれか一方である特定ボビン保持部（ボビン保持部６０）における特定ボビン保持部に設けられた保持子（保持子６４）側とは反対側の面である外側面」に当たる。
【００２８】
なお、ボビン保持部６０は、貫通穴部６６が設けられている以外はボビン保持部５０と同一の構成となっている。また、ボビン保持部５０、６０は、真鍮製であるとしたが、他の材質であってもよい。
【００２９】
糸保持部７０は、シリコーンエラストマー等のゴム弾性を有するエラストマーにより形成されていて、糸保持部７０は、図６に示すように、軸部７２と、軸部７２の一方の端部から連設された保持体７４と、軸部７２の他方の端部から連設された頭部７６とを有している。
【００３０】
軸部７２は、その直径Ｌ７２がボビン保持部６０の穴部６６ａの直径と略同一で、軸線７２Ｊに沿った長さＬ２が穴部６６ａの軸線の長さＬ１（図５を参照）よりも僅かに短い円柱状に形成されている。
【００３１】
また、保持体７４は、その軸線７４Ｊが軸部７２の軸線７２Ｊの延長線に重なる円盤状に形成され、保持体７４の軸部７２側の平面部７４ａと、平面部７４ａの周端から連設された曲面部７４ｂと、曲面部７４ｂの平面部７４ａと反対側の端部から連設された周面部７４ｃと、周面部７４ｃの曲面部７４ｂとは反対側の端部から連設された球面部７４ｄとを有している。
【００３２】
平面部７４ａは、その周端が円形であり、該円形の直径は、軸部７２の直径Ｌ７２よりも大きく形成され、該平面部７４ａは、軸線７２Ｊに対して直角となっている。平面部７４ａは、円環状の平面を呈している。
【００３３】
また、曲面部７４ｂは、その直径（平面部７４ａと平行な縦断面）が平面部７４ａ側から周面部７４ｃ側にいくに従い大きくなるとともに、軸線７４Ｊを通る平面による切断面（図８参照）における曲面部７４ｂの接線の軸線７４Ｊの方向に対する角度が、周面部７４ｃから平面部７４ａへの途中位置までは該途中位置にいくほど大きくなるとともに、該途中位置から平面部７４ａまでは該接線の軸線７４Ｊに対する角度が一定となるような曲面状となっている。つまり、該接線の軸線７４Ｊの方向に対する角度は、周面部７４ｃ側の端部位置では０度であるが、平面部７４ａ側にいくに従い大きくなり、途中からは一定となる。これにより、該途中位置から平面部７４ａまでの領域は、円錐台形状の周面を呈することになる。
【００３４】
なお、曲面部７４ｂの直径は、周面部７４ｃ側から平面部７４ａ側にいくに従い小さくなるので、糸を平面部７４ａと平面部６２ｃ間の位置に導く際に、糸を曲面部７４ｂに接した状態で平面部７４ａ側に移動させるのが容易となる。
【００３５】
また、周面部７４ｃは、円柱形状の周面を呈しており、また、球面部７４ｄは、軸線７４Ｊの延長線上の位置を中心とする球体の球面の一部を呈している。
【００３６】
なお、保持体７４における軸線７４Ｊと直角な断面は、いずれの位置においても円形となっている。周面部７４ｃの直径Ｌ７４（図６参照）は、ボビン保持部６０の基部６２の直径Ｌ６２（図５参照）よりも短く形成されている。
【００３７】
また、頭部７６は、軸部７２から連設され、その軸線７６Ｊが軸部７２の軸線７２Ｊの延長線に重なり、直径がボビン保持部６０の穴部６６ａの直径よりも大きく、穴部６６ｂの直径よりも小さい円柱状の円柱状部７６ａと、円柱状部７６ａの軸部７２側とは反対側の端部から連設され、軸線が円柱状部７６ａの軸線の延長線と重なり、円柱状部７６ａ側の端部の直径が円柱状部７６ａの直径と同一で先端側に行くに従い次第に直径が小さくなる円錐台状の円錐台状部７６ｂとを有している。つまり、軸部７２の周面の頭部７６側の端部と円柱状部７６ａの周面の軸部７２側の端部間には、軸部７２の軸線に対して略垂直な段差面７６ｃが形成されている。
【００３８】
なお、頭部７６の直径Ｌ７６は、軸部７２の直径Ｌ７２や穴部６６ａの直径Ｌ６６ａよりも大きく形成され、穴部６６ｂの直径Ｌ６６ｂよりも小さく形成されている。
【００３９】
また、軸部７２及び頭部７６は、図７〜図１０に示すように、貫通穴部６６に挿入されている。つまり、軸部７２は穴部６６ａに挿入され、頭部７６は穴部６６ｂに挿入され、糸保持部７０の段差面７６ｃ（つまり、頭部７６の軸部７２側の端部）がボビン保持部６０の段差面６６ｃと係合し、これにより、糸保持部７０のボビン保持部６０からの抜け落ちが防止されるとともに、保持体７４の平面部７４ａが基部６２の平面部６２ｃに密着する。つまり、軸部７２の長さＬ２が穴部６６ａの軸線６０Ｊに沿った長さＬ１よりも僅かに短いことにより、保持体７４が基部６２側に引き付けられて、保持体７４の一部（平面部７４ａ近傍の部分）が僅かに圧縮変形させられ、保持体７４の弾性力により、保持体７４の平面部７４ａが基部６２の平面部６２ｃに押圧された状態となっている。以上のようにして、糸保持部７０は、ボビン保持部６０の平面部６２ｃに接して設けられている。
【００４０】
次に、ボビンホルダー５の使用方法について説明する（図１１〜図１３を参照）。ボビンホルダー５には、ボビンＢを保持して使用するが、一般的なボビンＢは、円筒状のボビン本体（筒状部）Ｂ１０と、ボビン本体Ｂ１０の両端の開口Ｂ１２ａ、Ｂ１２ｂの周囲に設けられたフランジ部Ｂ１４ａ、Ｂ１４ｂとを有し、糸Ｓはボビン本体Ｂ１０に巻回される。
【００４１】
ボビンホルダー５によりボビンＢを保持する際には、まず、アーム部３０とアーム部４０とをそれぞれ撓み変形させて外側（ボビンホルダー５の中心線側とは反対側）に押し拡げた後、保持子５４の円錐台状部５４ｂの先端領域部をボビンＢの一方の開口Ｂ１２ａに挿入するとともに、円錐台状部５４ｂの周面を開口Ｂ１２ａの周囲（フランジ部Ｂ１４ａの内周縁）に当接させ、保持子６４の円錐台状部６４ｂの先端領域部をボビンＢの他方の開口Ｂ１２ｂに挿入するとともに、円錐台状部６４ｂの周面を開口Ｂ１２ｂの周囲（フランジ部Ｂ１４ａの内周縁）に当接させ、外側に押し拡げられたアーム部３０及びアーム部４０の弾性復元力（ボビンホルダー５の中心線側に向かう付勢力）によりボビンＢを挟み付けて、ボビン本体Ｂ１０の中心軸回りに回転可能な状態でボビンＢを保持し、ボビンＢから引き出された糸Ｓを管状部２０の後端の開口２０ａから入れ、前端の開口２０ｂから引き出し、管状部２０から引き出された糸Ｓを使用し、フライフィッシングの毛針、鮎の友釣仕掛け、和竿等の釣り具を作製する。
【００４２】
また、釣り具の作製作業を終了した際には、管状部２０から引き出された糸Ｓの自由端領域を保持体７４の平面部７４ａと基部６２の平面部６２ｃとの間の隙間に差し込み、図１３に示すように、糸Ｓの自由端領域を軸部７２と保持体７４との境界に１〜２回り程度巻き付ける。すると、糸Ｓの自由端領域が、基部６２の平面部６２ｃと保持体７４の平面部７４ａとにより平面部６２ｃと平面部７４ａの隙間に挟み付けられ、図１１〜図１３に示すように糸Ｓの自由端領域は保持される。つまり、糸Ｓを平面部６２ｃと平面部７４ａの間に配置することにより、糸Ｓが平面部６２ｃと平面部７４ａの間に挟まれて保持される。糸Ｓが平面部６２ｃと平面部７４ａの間に保持されるので、ボビンＢが糸Ｓが管状部２０から抜け出る方向に回転しようとしても、糸Ｓが管状部２０から抜け出ることがない。図１３中、符号７４ｂを付して示した領域は、保持体７４の平面部７４ａにおける軸部７２が設けられている領域である。なお、再び糸Ｓを釣り具の作製作業に用いる場合には、糸Ｓを平面部６２ｃと平面部７４ａの隙間の外側に移動させて、該隙間から外せばよい。
【００４３】
以上のように、本考案のボビンホルダー５によれば、管状部２０から引き出された糸Ｓの自由端領域をボビン保持部６０と保持体７０とにより挟み付けて保持することにより、釣り具の作製作業の終了後に糸Ｓが管状部２０から抜け出してしまうことを防止することができるので、作業を再開するたびに糸Ｓを管状部２０に通し直す必要がなく、余分な手間が掛からない。また、保持体７４の平面部７４ａが基部６２の平面部６２ｃに密着しているので、糸Ｓを平面部７４ａと平面部６２ｃの間にしっかりと保持することができる。
【００４４】
なお、上記の説明においては、糸保持部７０はボビン保持部６０に設けられているとしたが、糸保持部７０がボビン保持部６０の代わりにボビン保持部５０に設けられているとしてもよく、その場合には、ボビン保持部５０は、特定ボビン保持部としてボビン保持部６０と同一の構成となり、ボビン保持部６０は、ボビン保持部５０と同一の構成となる。また、糸保持部７０をボビン保持部５０とボビン保持部６０の両方に設ける構成としてもよい。その場合には、ボビン保持部５０、６０は、いずれも糸保持部が取付け可能なように、ボビン保持部６０と同一の構成となる。
【符号の説明】
【００４５】
５、１０５  ボビンホルダー
１０、１１０  支持体
１０ａ、６６  貫通穴部
１０ｂ、１０ｃ、５２ｂ、６２ｂ  非貫通穴部
２０、１２０  管状部
２０ａ、２０ｂ  開口
３０、４０、１３０、１４０  アーム部
３２、４２  基端部
３４、４４  中間部
３６、４６  末端部
５０、６０、１５０、１６０  ボビン保持部
５２、６２  基部
５２ａ、６２ａ、６２ｃ、７４ａ  平面部
５４、６４  保持子
５４ａ、６４ａ、７６ａ  円柱状部
５４ｂ、６４ｂ、７６ｂ  円錐台状部
６４ｃ  先端面
６６ａ、６６ｂ  穴部
６６ｃ、７６ｃ  段差面
７０  糸保持部
７２  軸部
７４  保持体
７６  頭部
Ｂ  ボビン
Ｂ１０  ボビン本体
Ｂ１４ａ、Ｂ１４ｂ  フランジ部
【図１】
0003215708.tif 000003
【図２】
0003215708.tif 000004
【図３】
0003215708.tif 000005
【図４】
0003215708.tif 000006
【図５】
0003215708.tif 000007
【図６】
0003215708.tif 000008
【図７】
0003215708.tif 000009
【図８】
0003215708.tif 000010
【図９】
0003215708.tif 000011
【図１０】
0003215708.tif 000012
【図１１】
0003215708.tif 000013
【図１２】
0003215708.tif 000014
【図１３】
0003215708.tif 000015
【図１４】
0003215708.tif 000016
【図１５】
0003215708.tif 000017